(57)【要約】【課題】簡単な構成で、被介護者の体位を変換する際の介護者の労力を減少させることができる体位変換器を提供する。【解決手段】体位変換器１は、気体を出し入れ可能なエア袋１０と、エア袋１０に接続され、エア袋１０に気体を流入させるポンプ３０と、エア袋１０の上面および下面の少なくとも一方に配置され、エア袋１０よりも硬質の部材にて形成されたガイド板２０とを備える。このような構成により、簡単な構成で介護者の労力を軽減することができる。【選択図】図１
2020092914.tif 000002
【特許請求の範囲】
【請求項１】
気体を出し入れ可能なエア袋と、
前記エア袋に接続され、前記エア袋に気体を流入させるポンプと、
前記エア袋の上面および下面の少なくとも一方に配置され、前記エア袋よりも硬質の部材にて形成されたガイド板とを備える、
ことを特徴とする体位変換器。
【請求項２】
複数の前記エア袋を備え、複数の前記エア袋が上下方向に積層される、
ことを特徴とする請求項１に記載の体位変換器。
【請求項３】
前記ガイド板は、複数の前記エア袋のうちの最も上方に位置するエア袋の上面、および複数の前記エア袋のうちの最も下方に位置するエア袋の下面に配置される、
ことを特徴とする請求項２に記載の体位変換器。
【請求項４】
前記ガイド板は、隣接する前記エア袋と前記エア袋との間に配置される、
ことを特徴とする請求項２に記載の体位変換器。
【発明の詳細な説明】
【技術分野】
【０００１】
本発明は、使用者の体位を変換可能な体位変換器に関する。
【背景技術】
【０００２】
従来より、高齢、病気、けがなどの原因により長期間横たわった状態にある被介護者に対しては、身体の清拭を行う際に体位を変換する必要があった。
【０００３】
被介護者の体位を変換する際には、例えば特許文献１に開示されるように、断面略三角形状に形成された発泡合成樹脂製のパッドを被介護者の背中などにあてがうことで体位を変換することが行われていた。
このようなパッドを仰臥姿勢にある被介護者の背中などにあてがうことで、被介護者の身体が側臥した姿勢となり、床面と背中との間に隙間ができた状態で保持されるため、介護者は両手を使って清拭作業を行うことが可能となる。
【先行技術文献】
【特許文献】
【０００４】
【特許文献１】特開２００２−１４３２３３号公報
【発明の概要】
【発明が解決しようとする課題】
【０００５】
しかし、特許文献１に開示されるようなパッドを被介護者の背中などにあてがうときには、介護者が仰臥姿勢にある被介護者の身体を持ち上げて側臥姿勢とした後に、側臥姿勢を保持しながら被介護者の背中と床面との間にパッドを差し入れることを行う必要がある。
従って、被介護者の体位を変換する際には、介護者の労力が多大となったり、複数の介護者が必要となったりしていた。
【０００６】
そこで、本発明においては、簡単な構成でありながら、被介護者の体位を変換する際の介護者の労力を減少させることができる体位変換器を提供する。
【課題を解決するための手段】
【０００７】
上記課題を解決する体位変換器は、以下の特徴を有する。
即ち、本発明の体位変換器は、気体を出し入れ可能なエア袋と、前記エア袋に接続され、前記エア袋に気体を流入させるポンプと、前記エア袋の上面および下面の少なくとも一方に配置され、前記エア袋よりも硬質の部材にて形成されたガイド板とを備える。
【０００８】
また、前記体位変換器は、複数の前記エア袋を備え、複数の前記エア袋が上下方向に積層される。
【０００９】
また、前記ガイド板は、複数の前記エア袋のうちの最も上方に位置するエア袋の上面、および複数の前記エア袋のうちの最も下方に位置するエア袋の下面に配置される。
【００１０】
また、前記ガイド板は、隣接する前記エア袋と前記エア袋との間に配置される。
【発明の効果】
【００１１】
本発明によれば、被介護者の体位を変換する際には、エア袋内に流入した気体の圧力によって被介護者の背中が持ち上げられるため、介護者が被介護者の身体を持ち上げる必要がなく、簡単な構成で介護者の労力を軽減することができる。また、エア袋およびガイド板を被介護者の背中と床面との間に差し入れる際にガイド板が座屈しないため、容易に差し入れることが可能である。
【図面の簡単な説明】
【００１２】
【図１】体位変換器を示す斜視図である。
【図２】体位変換器により被介護者の体位が仰臥姿勢から側臥姿勢に変換される様子を示す正面図である。
【図３】体位変換器により体位が側臥姿勢に変換された被介護者を示す図である。
【図４】第１ガイド板の下面に摩擦部材を設けた体位変換部を示す図である。
【図５】エア袋を複数設けた体位変換部を示す斜視図である。
【図６】連結部により連結された第１エア袋と第２エア袋とを示す図である。
【図７】第１エア袋と第２エア袋との間にガイド板を設けた体位変換部を示す斜視図である。
【図８】第１エア袋と第２エア袋との間に第１ガイド板および第２ガイド板を設けた体位変換部を示す斜視図である。
【発明を実施するための形態】
【００１３】
次に、本発明を実施するための形態を、添付の図面を用いて説明する。
【００１４】
図１に示す体位変換器１は、本発明に係る体位変換器の一実施形態であり、体位変換部１Ａと、操作部１Ｂとを有している。
体位変換器１は、被介護者と被介護者が横たわる床面との間に体位変換部１Ａを差し入れて、操作部１Ｂを操作することにより体位変換部１Ａの形状を変化させることにより被介護者の体位を変換することが可能な器具である。
【００１５】
体位変換器１の体位変換部１Ａは、エア袋１０およびガイド板２０を備えている。体位変換器１の操作部１Ｂは、ポンプ３０、エアチューブ４０、コントローラ５０、バッテリ６０、およびケース７０を備えている。
【００１６】
エア袋１０は、空気などの気体を出し入れ可能な袋体であり、気体を出し入れすることにより変形することが可能となっている。エア袋１０は、内部に気体を流入させると厚みが増し、内部から気体を排出させると厚みが減少するように構成されている。エア袋１０は、例えばフィルム状の樹脂部材にて構成されている。
【００１７】
ガイド板２０は、第１ガイド板２１および第２ガイド板２２を有している。第１ガイド板２１および第２ガイド板２２は、シート状の樹脂部材にて構成されている。第１ガイド板２１および第２ガイド板２２は、例えば矩形状に形成されている。
第１ガイド板２１および第２ガイド板２２を構成する樹脂部材は、エア袋１０を構成する樹脂部材よりも硬質な樹脂部材であり、体位変換部１Ａを被介護者と被介護者が横たわる床面との間に差し入れるときに座屈しない硬度を有している。
【００１８】
第１ガイド板２１はエア袋１０の下面に配置されるとともに、エア袋１０の下面に貼着されている。第２ガイド板２２はエア袋１０の上面に配置されるとともに、エア袋１０の上面に貼着されている。
【００１９】
第１ガイド板２１の一辺２１ａと、第２ガイド板２２の一辺２１ａに対応する位置に配置される一辺２２ａとは連結されている。第１ガイド板２１および第２ガイド板２２は、例えば第１ガイド板２１と第２ガイド板２２とを合わせた大きさの樹脂シートを途中部で折り曲げて形成することができる。この場合、樹脂シートの折り曲げ部分が第１ガイド板２１の一辺２１ａおよび第２ガイド板２２の一辺２２ａとなる。
【００２０】
ポンプ３０は、エア袋１０の内部に気体を流入させることが可能に構成されている。ポンプ３０は、例えばエアポンプにて構成されている。
エアチューブ４０は、エア袋１０とポンプ３０とを接続しており、ポンプ３０から供給される気体はエアチューブ４０を通じてエア袋１０内に流入する。
【００２１】
コントローラ５０は、ポンプ３０の駆動、および気体を流入させた際のエア袋１０内の圧力などを制御可能に構成されている。
バッテリ６０は、コントローラ５０およびポンプ３０に電力を供給する電源である。
ケース７０は、ポンプ３０、コントローラ５０、およびバッテリ６０を収容する筐体である。
【００２２】
体位変換器１は、エア袋１０に気体を供給する供給状態と、エア袋１０から気体を排出する排出状態とを切替可能に構成されており、ケース７０は体位変換器１の供給状態と排出状態との切替操作を行う切替スイッチ７１を有している。また、ケース７０は、体位変換器１における電源のオン・オフの切替操作や、気体を流入させた際のエア袋１０内の圧力の調節操作を行うための操作パネル７２を有している。
【００２３】
このように構成される体位変換器１においては、ポンプ３０を駆動してエア袋１０に気体を流入させると、エア袋１０が膨らんで厚みが増し、ポンプ３０の駆動を停止してエア袋１０から気体を排出するとエア袋１０が萎んで厚みが減少する。気体がエア袋１０から完全に排出されると、第１ガイド板２１と第２ガイド板２２とが略平行な姿勢となる。
【００２４】
本実施形態においては、ポンプ３０は電動ポンプにて構成されており、ケース７０に収容されるバッテリ６０から電源の供給を受けているが、ＡＣ電源から電源の供給を受けるように構成することもできる。この場合、例えば操作パネル７２に、商用電源からの交流電力が入力されるＡＣアダプタの接続口を設けることが可能である。また、バッテリ６０は、商用電源から充電可能に構成することもできる。
エア袋１０内に気体を流入させるポンプ３０としては、手動式のポンプを用いることも可能である。
【００２５】
体位変換器１を用いて被介護者の体位を変換する際には、図２（ａ）に示すように、仰臥姿勢にある被介護者の背中と被介護者が横たわるベッドなどの床面Ｂとの間に、気体がエア袋１０から排出され第１ガイド板２１と第２ガイド板２２とが略平行な姿勢となった状態の体位変換部１Ａを差し入れる。
この場合、第１ガイド板２１および第２ガイド板２２は、体位変換部１Ａを差し入れる際に座屈しない程度の硬度を有しているため、簡単な構成で体位変換部１Ａを容易に被介護者の背中と床面Ｂとの間に差し入れることが可能である。つまり、体位変換部１Ａを被介護者の背中と床面Ｂとの間に差し入れる際に体位変換部１Ａが座屈しないため、容易に差し入れることが可能である。
【００２６】
体位変換部１Ａを被介護者の背中と床面Ｂとの間に差し入れた後、切替スイッチ７１を体位変換器１が供給状態となるように切り替えると、ポンプ３０が駆動されてエア袋１０に気体が流入し、エア袋１０が膨らむ。
エア袋１０が膨らむと、図２（ｂ）に示すようにエア袋１０が膨らむと体位変換部１Ａを差し入れた部分の被介護者の背中が持ち上がり、図３に示すように被介護者の体位が側臥姿勢に変換される。この場合、エア袋１０の圧力が操作部７２にて設定された圧力に達するとポンプ３０の駆動は停止されるが、エアチューブ４０に接続される逆止弁によってエア袋１０内から気体が排出されることが抑制されており、エア袋１０内の圧力は保持される。
【００２７】
このように、被介護者の体位を変換する際には、エア袋１０内に流入した気体の圧力によって被介護者の背中が持ち上げられるため、介護者が被介護者の身体を持ち上げる必要がなく、簡単な構成で介護者の労力を軽減することができる。また、介護者は体位変換部１Ａを被介護者の背中と床面Ｂとの間に差し入れる作業、および体位変換器１の切替スイッチ７１を操作する作業を行うだけで良いので、一人の介護者によって被介護者の体位変換を行うことが可能である。また、被介護者の体位は、体位変換部１Ａによって側臥姿勢に保持されるため、介護者は両手を使って清拭作業を行うことが可能である。
【００２８】
体位変換部１Ａを被介護者の背中と床面Ｂとの間に差し入れる場合、第１ガイド板２１の一辺２１ａおよび第２ガイド板２２の一辺２２ａの側から差し入れることで、第１ガイド板２１が側臥姿勢となった被介護者の背中の傾斜角度に沿った角度に傾斜するため、被介護者の体位を円滑に変換することができるとともに、被介護者が背中に違和感を抱くことがない。
【００２９】
側臥姿勢にある被介護者の体位を仰臥姿勢に変換する際には、切替スイッチ７１を操作して体位変換器１を供給状態から排出状態に切り替える。体位変換器１を供給状態から排出状態に切り替えると、エアチューブ４０に接続される逆止弁が開放されてエア袋１０内の気体が排出され、エア袋１０の厚みが減少して、被介護者の体位が仰臥姿勢に変換される。この場合、被介護者の体重によってエア袋１０内の気体の排出が促され、容易に第１ガイド板２１と第２ガイド板２２とが略平行な姿勢となるまでエア袋１０から気体が排出される。
【００３０】
図４に示すように、第１ガイド板２１の下面には、床面Ｂとの間に生じる摩擦力が第１ガイド板２１よりも大きくなる摩擦部材８１を設けることができる。このように、
第１ガイド板２１の下面に摩擦部材８１を設けることで、エア袋１０内に気体を流入させて被介護者の体位を変換する際に、体位変換部１Ａが滑って被介護者の背中と床面Ｂとの間から抜け出ることを抑制することができる。摩擦部材８１としては、例えばゴムシートを用いることができる。
【００３１】
ここで、エア袋１０から気体が排出された状態にあるとき（図２（ａ）に示す状態）よりもエア袋１０に気体が流入した状態にあるとき（図２（ｂ）に示す状態）のほうが、第１ガイド板２１は床面Ｂに対して大きな力で接触する。
従って、摩擦部材８１は、エア袋１０から気体が排出された状態の体位変換部１Ａを被介護者の背中と床面Ｂとの間に差し入れるときには、体位変換部１Ａを円滑に差し入れることができる程度の摩擦力を生じ、エア袋１０内に気体を流入させて被介護者の体位を変換するときには、体位変換部１Ａに対して滑らない程度の摩擦力を生じる部材を用いることが好ましい。
【００３２】
本実施形態においては、第１ガイド板２１の一辺２１ａと第２ガイド板２２の一辺２２ａとが連結されているが、第１ガイド板２１の一辺２１ａと第２ガイド板２２の一辺２２ａとは連結されていなくても、エア袋１０内に気体を流入させることで容易に被介護者の体位を変換することが可能である。
【００３３】
また、体位変換器１においては、第１ガイド板２１および第２ガイド板２２の何れか一方のみを設けることも可能である。第１ガイド板２１および第２ガイド板２２の何れか一方のみを設けた場合においても、体位変換部１Ａを被介護者の背中と床面Ｂとの間に容易に差し入れて、被介護者の体位を容易に変換することが可能である。
【００３４】
但し、第１ガイド板２１および第２ガイド板２２の両方を設けた場合は、体位変換部１Ａを被介護者の背中と床面Ｂとの間に差し入れてエア袋１０内に気体を流入させた際に、体位変換部１Ａを楔形の形状に保持することが容易となるため、被介護者の側臥姿勢をより安定して保持することが可能となる。
【００３５】
エア袋１０の形状および大きさは、特に限定されるものではなく、任意の形状および大きさに形成することができる。第１ガイド板２１および第２ガイド板２２の形状および大きさは、体位変換部１Ａを被介護者の背中と床面Ｂとの間に容易に差し入れることができる形状および大きさに形成されていればよい。
【００３６】
また、体位変換器１においては、体位変換部１Ａを全体的に布などで作成された袋カバーにて覆うこともできる。体位変換部１Ａを全体的に布などの袋カバーにて覆うことで、体位変換部１Ａが被介護者の背中に触れたときの感触が向上するとともに、体位変換部１Ａの外観を向上することができる。
【００３７】
体位変換部１Ａは、次のように構成することもできる。
つまり、図５に示すように、体位変換部１Ａはエア袋１０を複数有していてもよい。
図５に示す体位変換器１においては、エア袋１０は第１エア袋１１および第２エア袋１２を有している。第１エア袋１１および第２エア袋１２は上下方向に積層されており、第２エア袋１２は第１エア袋１１の上方に配置されている。
【００３８】
第１ガイド板２１は第１エア袋１１の下面に配置されるとともに、第１エア袋１１の下面に貼着されている。第２ガイド板２２は第２エア袋１２の上面に配置されるとともに、第２エア袋１２の上面に貼着されている。
【００３９】
体位変換部１Ａは３以上のエア袋１０を有していてもよい。この場合、第１ガイド板２１は最も下方に位置するエア袋の下面に配置し、第２ガイド板２２は最も上方に位置するエア袋の上面に配置することができる。
【００４０】
図５に示すように、体位変換部１Ａが複数の第１エア袋１１および第２エア袋１２を有することで、一つのエア袋１０を設けた場合に比べて、第１エア袋１１および第２エア袋１２に気体を流入させたときの体位変換部１Ａの厚みを大きくすることが可能である。体位変換部１Ａの厚みが大きくなることで、被介護者の背中の持ち上がり度合が大きくなって被介護者の背中と床面Ｂとの間隔が広がり、被介護者に対する清拭作業がより行い易くなる。
【００４１】
また、体位変換部１Ａに複数の第１エア袋１１および第２エア袋１２を設けた場合においても、第１ガイド板２１を第１エア袋１１の下面に配置し、第２ガイド板２２を第２エア袋１２の上面に配置することで、体位変換部１Ａを被介護者の背中と床面Ｂとの間に差し入れてエア袋１０内に気体を流入させた際に、体位変換部１Ａを楔形の形状に保持することが容易となり、被介護者の側臥姿勢をより安定して保持することが可能となる。
【００４２】
図６に示すように、体位変換部１Ａにおいて複数の第１エア袋１１および第２エア袋１２を設けた場合、第１エア袋１１と第２エア袋１２とを連結するとともに、第１エア袋１１内と第２エア袋１２内とを互いに連通させることができる。
図６においては、第１エア袋１１と第２エア袋１２とは連結部１３にて連結されているとともに、連結部１３の一部に開口された連通孔１４によって互いに連通されている。連通孔１４は連結部１３の端部側に配置されている。連通孔１４は連結部１３の１箇所に形成してもよいし、複数箇所に形成してもよい。
【００４３】
第１エア袋１１と第２エア袋１２とを連通孔１４にて連通することで、第１エア袋１１および第２エア袋１２の一方にエアチューブ４０を接続することで、第１エア袋１１と第２エア袋１２との両方に気体を流入させることが可能となる。
互いに連結された第１エア袋１１と第２エア袋１２とは、連結部１３において折り曲げることで積層状態とすることができる。この場合、連通孔１４を連結部１３の端部側に配置することで、連通孔１４の気体の通りを良好にすることが可能となる。
【００４４】
体位変換部１Ａは、次のように構成することもできる。
つまり、図７に示すように、体位変換部１Ａにおいては、第１エア袋１１と第２エア袋１２との間にガイド板２０を配置することもできる。この場合、ガイド板２０は第１エア袋１１の上面に配置されるとともに、第２エア袋１２の下面に配置されている。ガイド板２０は、第１エア袋１１の上面および第２エア袋１２の下面の少なくとも一方に貼着することができる。
【００４５】
このように、第１エア袋１１と第２エア袋１２との間にガイド板２０を配置した場合であっても、体位変換部１Ａを被介護者と床面Ｂとの間に座屈させることなく差し入れることができ、差し入れる作業を容易に行うことが可能である。
【００４６】
図８に示すように、第１エア袋１１と第２エア袋１２との間には、複数の第１ガイド板２１および第２ガイド板２２を配置することもできる。この場合、第１エア袋１１の上面に第１ガイド板２１を配置するとともに貼着し、第２エア袋１２の下面に第２ガイド板２２を配置するとともに貼着することができる。
【００４７】
第１エア袋１１と第２エア袋１２との間に複数の第１ガイド板２１および第２ガイド板２２を配置した構成は、例えば図５に示した第１エア袋１１の下面に第１ガイド板２１を配置するとともに第２エア袋１２の上面に第２ガイド板２２を配置した構成の、第１エア袋１１と第２エア袋１２との連結部１３における折り曲げ方向を逆方向にすることで構成することができる。
【符号の説明】
【００４８】
１    体位変換器
１Ａ  体位変換部
１Ｂ  操作部
１０    エア袋
１１    第１エア袋
１２    第２エア袋
２０    ガイド板
２１    第１ガイド板
２２    第２ガイド板
３０    ポンプ
４０    エアチューブ
【図１】
2020092914.tif 000003
【図２】
2020092914.tif 000004
【図３】
2020092914.tif 000005
【図４】
2020092914.tif 000006
【図５】
2020092914.tif 000007
【図６】
2020092914.tif 000008
【図７】
2020092914.tif 000009
【図８】
2020092914.tif 000010